(57)【特許請求の範囲】
【請求項１】
コントローラが送信した操作信号を受信して、前記操作信号に従って所定の処理を実行する受信装置において、
前記コントローラの識別情報を登録する登録手段と、
登録された前記識別情報に設定パラメータを対応付けて、登録情報として記録する記録手段と、
前記コントローラが送信した、前記識別情報が含まれている前記操作信号を受信する受信手段と、
記録されている前記登録情報を参照して、受信された前記操作信号に含まれる前記識別情報に対応する前記設定パラメータを読み出す読み出し手段と、
読み出された前記設定パラメータに基づいて、対応する設定を調整する調整手段と、
インタネットを介してWebサーバに接続する接続手段と、
前記Webサーバへの接続の記録を示す第１の接続履歴情報を保持する保持手段と、
前記コントローラによるWebサーバへの接続の記録を示す第２の接続履歴情報を前記コントローラから取得する取得手段と
を含む受信装置。
【請求項２】
前記コントローラは、通話機能を有する携帯端末である
請求項１に記載の受信装置。
【請求項３】
前記コントローラからの前記操作信号に従い、放送信号を受信して再生する再生手段と、
読み出された前記設定パラメータに基づいて、前記再生手段の処理を制限する制限手段と
をさらに含む請求項１に記載の受信装置。
【請求項４】
保持されている前記第１の接続履歴情報と取得された前記第２の接続履歴情報を合成して第３の接続履歴情報を生成する合成手段と
をさらに含む請求項１に記載の受信装置。
【請求項５】
生成された前記第３の接続履歴情報を、着脱可能な所定の記録媒体に記録する記録手段を
さらに含む請求項４に記載の受信装置。
【請求項６】
前記所定の記録媒体は、前記コントローラにも着脱可能である
請求項５に記載の受信装置。
【請求項７】
コントローラが送信した操作信号を受信して、前記操作信号に従って所定の処理を実行する受信装置の受信方法において、
前記コントローラの識別情報を登録する登録ステップと、
登録された前記識別情報に設定パラメータを対応付けて、登録情報として記録する記録ステップと、
前記コントローラが送信した、前記識別情報が含まれている前記操作信号を受信する受信ステップと、
記録されている前記登録情報を参照して、受信された前記操作信号に含まれる前記識別情報に対応する前記設定パラメータを読み出す読み出しステップと、
読み出された前記設定パラメータに基づいて、対応する設定を調整する調整ステップと、
インタネットを介してWebサーバに接続する接続ステップと、
前記Webサーバへの接続の記録を示す第１の接続履歴情報を保持する保持ステップと、
前記コントローラによるWebサーバへの接続の記録を示す第２の接続履歴情報を前記コントローラから取得する取得ステップと
を含む受信方法。
【請求項８】
コントローラが送信した操作信号を受信して、前記操作信号に従って所定の処理を実行する受信装置の制御用のプログラムであって、
前記コントローラの識別情報を登録する登録ステップと、
登録された前記識別情報に設定パラメータを対応付けて、登録情報として記録する記録ステップと、
前記コントローラが送信した、前記識別情報が含まれている前記操作信号を受信する受信ステップと、
記録されている前記登録情報を参照して、受信された前記操作信号に含まれる前記識別情報に対応する前記設定パラメータを読み出す読み出しステップと、
読み出された前記設定パラメータに基づいて、対応する設定を調整する調整ステップと、
インタネットを介してWebサーバに接続する接続ステップと、
前記Webサーバへの接続の記録を示す第１の接続履歴情報を保持する保持ステップと、
前記コントローラによるWebサーバへの接続の記録を示す第２の接続履歴情報を前記コントローラから取得する取得ステップと
を含む処理を受信装置のコンピュータに実行させるプログラムが記録されている記録媒体。
【請求項９】
コントローラが送信した操作信号を受信して、前記操作信号に従って所定の処理を実行する受信装置を制御するコンピュータに、
前記コントローラの識別情報を登録する登録ステップと、
登録された前記識別情報に設定パラメータを対応付けて、登録情報として記録する記録ステップと、
前記コントローラが送信した、前記識別情報が含まれている前記操作信号を受信する受信ステップと、
記録されている前記登録情報を参照して、受信された前記操作信号に含まれる前記識別情報に対応する前記設定パラメータを読み出す読み出しステップと、
読み出された前記設定パラメータに基づいて、対応する設定を調整する調整ステップと、
インタネットを介してWebサーバに接続する接続ステップと、
前記Webサーバへの接続の記録を示す第１の接続履歴情報を保持する保持ステップと、
前記コントローラによるWebサーバへの接続の記録を示す第２の接続履歴情報を前記コントローラから取得する取得ステップと
を含む処理を実行させるプログラム。
【発明の詳細な説明】
【０００１】
【発明の属する技術分野】
本発明は、受信装置および方法、記録媒体、並びにプログラムに関し、例えば、携帯電話機にテレビジョン受像機を操作可能なリモートコントローラとしての機能を備えさせる場合に用いて好適な受信装置および方法、記録媒体、並びにプログラムに関する。
【０００２】
【従来の技術】
通常、テレビジョン受像機には、リモートコントローラ（以下、リモコンと略記する）が１つだけ付属されている。また、最近のテレビジョン受像機は、単にテレビジョン放送を表示するだけでなく、例えば、ユーザからのインタラクティブな操作に対応するＢＳ(Broadcasting Satellite)ディジタル放送を受信することができるものや、インタネットを介して任意のWebサーバにアクセスできるものなどが存在する。
【０００３】
そのテレビジョン受像機を、複数の人が操作する環境で使用する場合、テレビジョン受像機を操作できるリモコンが複数存在すれば便利である。
【０００４】
そこで、昨今、世帯単位を越えて個人単位で広く普及している携帯電話機に、テレビジョン受像機を操作可能なリモートコントローラとしての機能を備えさせることが考えられる。
【０００５】
【発明が解決しようとする課題】
ところで、上述した多機能なテレビジョン受像機を複数の人が使用した場合、次のような問題が発生する課題があった。
【０００６】
すなわち、当該テレビジョン受像機が多機能であるために、操作する人の使い勝手に適した各種の設定が必要であり、操作する人が変わる都度に各種の設定を変更しなければならない課題があった。
【０００７】
また、ある人が当該テレビジョン受像機の利用を終えた後、引き続いて他の人が利用を始めた場合、当該テレビジョン受像機に残っている先の操作者の利用履歴が後の操作者に利用されてしまう課題があった。
【０００８】
さらに、インタネットへの接続記録を有する携帯電話機を、多機能なテレビジョン受像機のリモコンとして用いる場合、携帯電話機が有するインタネットへの接続に関する情報を、多機能なテレビジョン受像機が利用できればユーザの利便性が向上するがそのような技術は存在していない課題があった。
【０００９】
本発明はこのような状況に鑑みてなされたものであり、操作に用いられた携帯電話機等のＩＤに基づいて操作する人を識別することにより、操作する人の使い勝手に適した状態にテレビジョン受像機の各種の設定を自動的に調整できるようにするとともに、携帯電話機等とテレビジョン受像機がインタネットへの接続に関する情報を共用できるようにすることを目的とする。
【００１０】
【課題を解決するための手段】
本発明の受信装置は、コントローラの識別情報を登録する登録手段と、登録された識別情報に設定パラメータを対応付けて、登録情報として記録する記録手段と、コントローラが送信した、識別情報が含まれている操作信号を受信する受信手段と、記録されている登録情報を参照して、受信された操作信号に含まれる識別情報に対応する設定パラメータを読み出す読み出し手段と、読み出された設定パラメータに基づいて、対応する設定を調整する調整手段と、インタネットを介してWebサーバに接続する接続手段と、Webサーバへの接続の記録を示す第１の接続履歴情報を保持する保持手段と、コントローラによるWebサーバへの接続の記録を示す第２の接続履歴情報をコントローラから取得する取得手段とを含む。
【００１１】
前記コントローラは、通話機能を有する携帯端末とするようにすることができる。
【００１２】
本発明の受信装置は、コントローラからの操作信号に従い、放送信号を受信して再生する再生手段と、読み出された設定パラメータに基づいて、再生手段の処理を制限する制限手段とをさらに含むことができる。
【００１３】
本発明の受信装置は、保持されている第１の接続履歴情報と取得された第２の接続履歴情報を合成して第３の接続履歴情報を生成する合成手段とをさらに含むことができる。
【００１４】
本発明の受信装置は、生成された第３の接続履歴情報を、着脱可能な所定の記録媒体に記録する記録手段をさらに含むことができる。
【００１５】
前記所定の記録媒体は、コントローラにも着脱可能であるようにすることができる。
【００１６】
本発明の受信方法は、コントローラの識別情報を登録する登録ステップと、登録された識別情報に設定パラメータを対応付けて、登録情報として記録する記録ステップと、コントローラが送信した、識別情報が含まれている操作信号を受信する受信ステップと、記録されている登録情報を参照して、受信された操作信号に含まれる識別情報に対応する設定パラメータを読み出す読み出しステップと、読み出された設定パラメータに基づいて、対応する設定を調整する調整ステップと、インタネットを介してWebサーバに接続する接続ステップと、Webサーバへの接続の記録を示す第１の接続履歴情報を保持する保持ステップと、コントローラによるWebサーバへの接続の記録を示す第２の接続履歴情報をコントローラから取得する取得ステップとを含む。
【００１７】
本発明の記録媒体は、コントローラの識別情報を登録する登録ステップと、登録された識別情報に設定パラメータを対応付けて、登録情報として記録する記録ステップと、コントローラが送信した、識別情報が含まれている操作信号を受信する受信ステップと、記録されている登録情報を参照して、受信された操作信号に含まれる識別情報に対応する設定パラメータを読み出す読み出しステップと、読み出された設定パラメータに基づいて、対応する設定を調整する調整ステップと、インタネットを介してWebサーバに接続する接続ステップと、Webサーバへの接続の記録を示す第１の接続履歴情報を保持する保持ステップと、コントローラによるWebサーバへの接続の記録を示す第２の接続履歴情報をコントローラから取得する取得ステップとを含む処理を受信装置のコンピュータに実行させるプログラムが記録されている。
【００１８】
本発明のプログラムは、コントローラの識別情報を登録する登録ステップと、登録された識別情報に設定パラメータを対応付けて、登録情報として記録する記録ステップと、コントローラが送信した、識別情報が含まれている操作信号を受信する受信ステップと、記録されている登録情報を参照して、受信された操作信号に含まれる識別情報に対応する設定パラメータを読み出す読み出しステップと、読み出された設定パラメータに基づいて、対応する設定を調整する調整ステップと、インタネットを介してWebサーバに接続する接続ステップと、Webサーバへの接続の記録を示す第１の接続履歴情報を保持する保持ステップと、コントローラによるWebサーバへの接続の記録を示す第２の接続履歴情報をコントローラから取得する取得ステップとを含む処理をコンピュータに実行させる。
【００１９】
本発明においては、コントローラの識別情報が登録され、登録された識別情報に設定パラメータが対応付けられて登録情報として記録される。また、コントローラが送信した、識別情報が含まれている操作信号が受信され、記録されている登録情報が参照されて、受信された操作信号に含まれる識別情報に対応する設定パラメータが読み出され、読み出された設定パラメータに基づいて、対応する設定が調整される。さらに、Webサーバへの接続の記録を示す第１の接続履歴情報が保持されるとともに、コントローラによるWebサーバへの接続の記録を示す第２の接続履歴情報がコントローラから取得される。
【００２０】
【発明の実施の形態】
図１は、本発明を適用したテレビジョン受像機の外観図を示している。このテレビジョン受像機１は、付属されているリモコン４から送信される操作信号に対応して、テレビジョン放送（地上波放送、ＢＳ放送、ＢＳディジタル放送、ＣＳ放送等）の放送信号を受信して対応する映像を表示する他、インタネットを介して任意のWebサーバにアクセスして、そこの格納されているコンテンツに対応するホームページの映像を表示する。
【００２１】
携帯端末２は、通話の他、インタネットを介してWebサーバにアクセスできる携帯電話機に、リモコン４と同等の機能（すなわち、テレビジョン受像機４を操作する操作信号を送信する機能）を備えている。携帯端末２は、テレビジョン受像機４に操作信号を送信するとき、固有のＩＤも送信する。携帯端末２には、Webサーバへのアクセス履歴の情報やWebサーバのURL(Uniform Resource Locator)等からなるインタネット接続履歴ファイルや、固有のＩＤ（以下、携帯端末ＩＤと記述する）を記録するために、メモリースティック（商標）３等の半導体メモリが着脱可能となされている。
【００２２】
なお、携帯端末２は、インタネットを介してWebサーバにアクセスできるPHS(Personal Handy phone System)電話機やPDA(Personal Digital Assistant)等の個人単位で使用される電子機器に、リモコン４と同等の機能を具備して構成するようにしてもよい。
【００２３】
図２は、テレビジョン受像機１の構成例を示している。制御部１１は、ドライブ１２を制御して、磁気ディスク１３（フロッピディスクを含む）、光ディスク１４（CD-ROM(Compact Disc-Read Only Memory)、DVD(Digital Versatile Disc)を含む）、光磁気ディスク１５（ＭＤ(Mini Disc)を含む）、または半導体メモリ１６に記憶されている制御用プログラム、あるいは、制御バス３０に接続されているフラッシュROM(Read Only Memory)１７に記録されている制御用プログラムを読み出し、読み出した制御用プログラムやユーザからのコマンド等に基づいて、制御バス３０を介して接続されているフロントエンド１９乃至重畳部２３を制御する。
【００２４】
また、制御部１１は、磁気ディスク１３等に記録されているWebブラウザのプログラムを読み出して実行するとともに、モデム２９を制御してインタネットのアクセスポイントに接続して任意のサーバにアクセスし、得られるコンテンツに対応するビデオデータを、制御バス３０を介して重畳部２３に出力する。
【００２５】
制御バス３０を介して制御部１１に接続されているROM１７は、インタネット上のWebサーバへのアクセス履歴や登録したURL等をインタネット接続履歴ファイルとして記憶する。また、ROM１７は、各携帯端末ＩＤに各種の設定値を対応付けて登録情報として記憶する。ここで、各種の設定値とは、前回操作終了時のチャンネルや音量、音質、画面表示等の状態、有料プログラム視聴の可否等の設定を指す。
【００２６】
制御バス３０を介して制御部１１に接続されているRAM(Random Access Memory)１８は、制御部１１のワークエリアとしてプログラムや各種のデータを一時的に記憶する。
【００２７】
フロントエンド１９は、アンテナ（不図示）から供給されるテレビジョン放送の放送信号から、ユーザの選局に対応する信号を抽出して復調処理、誤り訂正処理等を施し、得られる受信データストリームをデスクランブラ２０に出力する。デスクランブラ２０は、フロントエンド１９から入力される受信データストリームに施されたスクランブルを解除して、得られる多重化データをデマルチプレクサ２１に出力する。
【００２８】
デマルチプレクサ２１は、デンスクランブラ２０から入力される多重化データを各プログラムのビデオストリームに分離して、MPEG(Moving Picture Experts Group)デコーダ２２に出力する。MPEGデコーダ２２は、デマルチプレクサ２１から入力されるビデオストリームをデコードし、得られるビデオデータを重畳部２３に出力する。
【００２９】
重畳部２３は、MPEGデコーダ２２から入力されるビデオデータに、制御部１１から制御バス３０を介して入力されるOSD(On Screen Display)データ（各種の設定用ウィンドウの画面表示データ）を重畳し、表示部２４に適した形式の表示信号を生成して表示部２４に出力する。重畳部２３はまた、制御部１１から制御バス３０を介して入力されるコンテンツに対応するビデオデータを、表示部２４に適した形式の表示信号に変換して表示部２３に出力する。
【００３０】
表示部２４は、例えば、CRT(Cathode Ray Tube)やLCD(Liquid Crystal Display)等の表示デバイスより構成され、重畳部２３から入力される表示信号に対応する映像を表示する。
【００３１】
制御バス３０を介して制御部１１に接続されているＩ／Ｏブリッジ２５には、送受信部２６、メモリ装着部２７、およびモデム２９が接続されている。
【００３２】
送受信部２６は、携帯端末２およびリモコン４が出力する操作信号を受信し、その情報をＩ／Ｏブリッジ２５および制御バス３０を介して制御部１１に通知する。送受信部２６はまた、携帯端末２およびリモコン４と所定のデータ（後述）を送受信する。
【００３３】
メモリ装着部２７は、メモリースティック２８（携帯端末２に着脱可能なメモリースティック３と同等の半導体メモリ）を装着して、記憶されている所定のデータを読み出し、Ｉ／Ｏブリッジ２５および制御バス３０を介して制御部１１に供給する。メモリ装着部２７はまた、所定のデータをメモリースティック２８に記録する。モデム２９は、電話回線を介して所定のアクセスポイントと接続し、データを通信する。
【００３４】
次に、テレビジョン受像機１の動作について、図３のフローチャートを参照して説明する。なお、当該動作が実行される前提として、テレビ受像機１は待機状態、すなわち、携帯端末２から送信される電源オンを指示する操作信号を受信することだけが実行できる状態であるとする。
【００３５】
ステップＳ１において、制御部１１は、電源をオンとする操作信号を送受信部２６が受信したか否かを判定し、電源をオンとする操作信号を受信したと判定するまで待機する。
【００３６】
携帯端末２から電源をオンとする操作信号が送信され、その操作信号が送受信部２６によって受信されたと判定された場合、処理はステップＳ２に進む。
【００３７】
ステップＳ２において、送受信部２６は、操作信号とともに送信された携帯端末ＩＤを、Ｉ／Ｏブリッジ２５および制御バス３０を介して制御部１１に供給する。ステップＳ３において、制御部１１は、ROM１７に記録されている登録情報を参照して、ステップＳ２で通知された携帯端末ＩＤが、既に登録済であるか否かを判定する。登録済の携帯端末ＩＤであると判定された場合、処理はステップＳ４に進む。
【００３８】
ステップＳ４において、制御部１１は、登録ユーザからのログオンと認定する。また、制御部１１は、各種の設定をROM１７に記録されている携帯端末ＩＤに対応する設定値に調整する。
【００３９】
以降、ログオフと認定されるまで、割り込み処理（図４を参照して後述する）が実行可能となる。
【００４０】
ステップＳ５において、制御部１１は、ROM１７に記憶しているインタネット接続履歴ファイルのコピーを生成してRAM１８に記録する（インタネット接続履歴ファイルをバックアップする）。
【００４１】
ステップＳ６において、制御部１１は、携帯端末２に対し、携帯端末２が記憶しているインタネット接続履歴ファイルの送信を要求する信号を送受信部２６に送信させる。その信号に対応して携帯端末２がインタネット接続履歴ファイルを送信すると、送受信部２６は、携帯端末２からのインタネット接続履歴ファイルを受信して、Ｉ／Ｏブリッジ２５および制御バス３０を介して制御部１１に出力する。
【００４２】
なお、携帯端末２が記憶しているインタネット接続履歴ファイルをテレビジョン受像機１に供給する方法として、携帯端末２からメモリースティック３を取り出して、テレビジョン受像機１のメモリ装着部２７に装着し、メモリ装着部２７がメモリースティック３からインタネット接続履歴ファイルを読み出すようにしてもよい。
【００４３】
ステップＳ７において、制御部１１は、携帯端末２のインタネット接続履歴ファイルと、ROM１７が記憶するテレビジョン受像機１のインタネット接続履歴ファイルを合成してROM１７に記録する。以降、テレビジョン受像機１では、自己のインタネット接続履歴ファイルと、携帯端末２のインタネット接続履歴ファイルを合成したインタネット接続履歴ファイルを利用することができる。
【００４４】
なお、ROM１７に記録されたインタネット接続履歴ファイルは、後述する割り込み処理によってWebサーバへのアクセスが発生した場合、その都度更新される。
【００４５】
ステップＳ８において、制御部１１は、電源をオフとする操作信号を送受信部２６が受信したか否かを判定し、電源をオフとする操作信号を受信したと判定するまで待機する。
【００４６】
携帯端末２から電源をオフとする操作信号が送信され、その操作信号が送受信部２６によって受信されたと判定された場合、ユーザからログオフされたと認定されて、処理はステップＳ９に進む。
【００４７】
ステップＳ９において、制御部１１は、先程までログインしていたユーザが登録ユーザであったか否かを判定する。登録ユーザであったと判定された場合、処理はステップＳ１０に進む。
【００４８】
ステップＳ１０において、制御部１１は、ROM１７に記録されている合成されたインタネット接続履歴ファイルをテレビジョン受像機１に残すか否かの選択を、表示部２４の表示などによってユーザに促す。当該促しに対応して、ROM１７に記録されているインタネット接続履歴ファイルをテレビジョン受像機１に残すとユーザが選択したと判定された場合、処理はステップＳ１１に進む。
【００４９】
なお、ROM１７に記録されている合成されたインタネット接続履歴ファイルをテレビジョン受像機１に残すか否かの選択をユーザが予め設定できるようにしてもよい。
【００５０】
ステップＳ１１において、制御部１１は、ROM１７に記録されている合成されたインタネット接続履歴ファイルをそのまま保持させるとともに、RAM１８にバックアップしたインタネット接続履歴ファイルを破棄させる。
【００５１】
ステップＳ１０において、当該促しに対応して、ROM１７に記録されている合成されたインタネット接続履歴ファイルをテレビジョン受像機１に残さないとユーザが選択したと判定された場合、処理はステップＳ１２に進む。
【００５２】
ステップＳ１２において、制御部１１は、RAM１８にバックアップしたインタネット接続履歴ファイルを読み出してROM１７に記録する。なお、ROM１７に記録されていた合成されたインタネット接続履歴ファイルは読み出し不可能な状態とされる。
【００５３】
ステップＳ９において、先程までログインしていたユーザが登録ユーザではないと判定された場合、処理はステップＳ１２に進む。
【００５４】
ステップＳ３において、ステップＳ２で通知された携帯端末ＩＤが登録済ではないと判定された場合、処理はステップＳ１３に進む。
【００５５】
ステップＳ１３において、制御部１１は、未登録ユーザからのログオンと認定する。また、制御部１１は、各種の設定を初期化する。以降、ログオフと認定されるまで、割り込み処理が実行可能となる。
【００５６】
ステップＳ１４において、制御部１１は、使用している携帯端末の携帯端末ＩＤを登録するか否かの選択を表示部２４の表示などによって、操作中の未登録ユーザに促す。当該促しに対応して、携帯端末ＩＤを登録するとユーザが選択したと判定された場合、処理はステップＳ１５に進む。
【００５７】
ステップＳ１５において、制御部１１は、登録処理を実行する。具体的には、重畳部２３を制御して表示部２４に登録用ウィンドウを表示させ、それに対するユーザの各種設定の設定値の入力を、登録する携帯端末ＩＤに対応付けてROM１７に記録する。登録処理が済んだ後、処理はステップＳ５に進む。
【００５８】
なお、ステップＳ１４において、使用している携帯端末の携帯端末ＩＤを登録するか否かの選択の促しに対応し、携帯端末ＩＤを登録しないとユーザが選択したと判定された場合、ステップＳ１５はスキップされ、処理はステップＳ８に進む。
【００５９】
次に、ユーザがログオンしている間に実行される割り込み処理について、図４のフローチャートを参照して説明する。この割り込み処理は、携帯端末２から送信された操作信号を送受信部２６が受信したときに開始される。
【００６０】
ステップＳ２１において、制御部１１は、送受信部２６からＩ／Ｏブリッジ２５および制御バス３０を介して通知された操作信号に基づき、操作の種類を判定する。
【００６１】
ステップＳ２１において、操作の種類がチャンネルの切替指示であると判定された場合、処理はステップＳ２２に進む。ステップＳ２２において、制御部１１は、ログインに用いられた携帯端末ＩＤ、およびROM１７の記録（有料プログラム視聴の可否等の設定）に基づき、指示されたチャンネルの視聴が、操作中のユーザに対して許可されているか否かを判定する。指示されたチャンネルの視聴が許可されていると判定された場合、処理はステップＳ２３に進む。ステップＳ２３において、制御部１１は、フロントエンド１９乃至重畳部２３を制御して、画面表示を指示されたチャンネルの映像に切り替える。
【００６２】
ステップＳ２２において、指示されたチャンネルの視聴が、操作中のユーザに対して許可されていないと判定された場合、処理はステップＳ２４に進む。ステップＳ２４において、制御部１１は、重畳部２３を制御して、画面表示により指示されたチャンネルへの切替が許可されていない旨を操作中のユーザに通知する。
【００６３】
ステップＳ２１において、操作の種類がインタネット上のWebサーバへの接続であると判定された場合、処理はステップＳ２５に進む。ステップＳ２５において、制御部１１は、ROM１７に記録されているWebブラウザを実行するとともに、モデム２９を制御して所定のアクセスポイントに接続させ、ユーザから指示されたWebサーバにアクセスしてコンテンツを取得し、対応する映像を表示部２４に表示させる。ステップＳ２６において、制御部１１は、ステップＳ２５におけるWebサーバのアクセスやユーザから指定されたURLを、ROM１７のインタネット接続履歴ファイルに追記する。
【００６４】
ステップＳ２１において、操作の種類が各種の設定値の変更であると判定された場合、処理はステップＳ２７に進む。ステップＳ２７において、制御部１１は、重畳部２３を制御して表示部２４に登録用ウィンドウを表示させ、それに対するユーザの各種の設定値の入力を受け付けて、ROM１７に携帯端末ＩＤに対応付けて記録されている情報を更新する。
【００６５】
なお、割り込み処理を発生させる操作の種類は上述した３種類に限らず、例えば、音量の調整や画質の調整等の操作指示が行われた場合においても、同様の処理が実行される。
【００６６】
以上、テレビジョン受像機１の動作説明を終了する。
【００６７】
なお、上述した説明においては、テレビジョン受像機１ではインタネット接続履歴ファイルをROM１７に記録するようにしたが、メモリ装着部２７に装着したメモリースティック２８に記録するようにしてもよい。
【００６８】
その場合、テレビジョン受像機１のインタネット接続履歴ファイルが記録されたメモリースティック２８をメモリ装着部２７から取り外して携帯端末２に装着すれば、テレビジョン受像機１のインタネット接続履歴ファイルを携帯端末２で利用することができる。
【００６９】
なお、本発明は、テレビジョン受像機だけではなく、リモコンを用いて操作するあらゆる種類の電子機器に適用することが可能である。
【００７０】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００７１】
この記録媒体は、図２に示すように、コンピュータとは別に、ユーザにプログラムを提供するために配布される、プログラムが記録されている磁気ディスク１３、光ディスク１４、光磁気ディスク１５、もしくは半導体メモリ１６などよりなるパッケージメディアにより構成されるだけでなく、コンピュータに予め組み込まれた状態でユーザに提供される、プログラムが記録されているROM１７やハードディスクなどで構成される。
【００７２】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００７３】
【発明の効果】
以上のように、本発明によれば、操作する人の使い勝手に適した状態に受信装置の各種の設定を自動的に調整することが可能となる。
【図面の簡単な説明】
【図１】本発明を適用したテレビジョン受像機１の外観図である。
【図２】テレビジョン受像機１の構成例を示すブロック図である。
【図３】テレビジョン受像機１の動作を説明するフローチャートである。
【図４】テレビジョン受像機１の割り込み処理を説明するフローチャートである。
【符号の説明】
１  テレビジョン受像機，  ２  携帯端末，  ３  メモリースティック，  ４リモートコントローラ，  １１  制御部，  １２  ドライブ，  １３  磁気ディスク，  １４  光ディスク，  １５  光磁気ディスク，  １６  半導体メモリ，  １７  ROM，  １８  RAM，  １９  フロントエンド，  ２０  デスクランブラ，  ２１  デマルチプレクサ，  ２２  MPEGデコーダ，  ２３  重畳部，  ２４  表示部，  ２５  Ｉ／Ｏブリッジ，  ２６  送受信部，  ２７  メモリ装着部，  ２８  メモリースティック，  ２９  モデム
【図１】
0004736192.tif 000002
【図２】
0004736192.tif 000003
【図３】
0004736192.tif 000004
【図４】
0004736192.tif 000005